(57)【特許請求の範囲】
【請求項１】
見出しサイズと見出し種別に応じて基準文字に対する文字倍数を予め登録した基準テーブルと、
入力された見出しサイズと見出し種別に基づいて、前記基準テーブルを参照することにより決定された見出し種別ごとの文字倍数を、文字倍数テーブルに登録する文字倍数設定手段と、
を設けたことを特徴とする新聞制作システムの見出し組文字サイズ設定装置。
【請求項２】
請求項１記載の新聞制作システムの見出し組文字サイズ設定装置に於いて、更に、
前記文字倍数テーブルに登録済みの見出しサイズを変更した場合、該見出しサイズの変更比率に応じて前記文字倍数テーブルに登録している文字倍数を変更する文字倍数変更機構を設けたことを特徴とする新聞制作システムの見出し組文字サイズ設定装置。
【発明の詳細な説明】
【０００１】
【産業上の利用分野】
本発明は、新聞制作工程でこれまでにコンピュータ化が進んでいなかった整理部門のＯＡ化推進に寄与する整理記者向けの編集ワークステーションの機能として実現される新聞制作システムの見出し組文字サイズ設定装置に関する。
組版端末装置として知られた編集ワークステーションでは、処理機能を自動化することで操作を容易にし、利用者である整理記者ひとりによる大組，小組作成を実現しているが、更なる作業性の簡易化と効率化が求められている。
【０００２】
【従来の技術】
従来の組版端末装置の操作には、多種多様な機能コマンドの選択による専門的技術を必要としている。このため専任のオペレータと大組／小組を考える整理記者がマンツーマンとなって、大組／小組の作成作業を行っている。
このような大組／小組作業の１つである見出し組は、新聞の見出しを作成する作業であり、同様に、専任のオペレータと見出し組を考える整理記者がマンツーマンとなって作成作業を行っている。
【０００３】
【発明が解決しようとする課題】
このような見出し組の作成作業において、整理記者は自らのノウハウで組サイズより文字サイズを決定しているが、その入力／変更は専門的な知識を必要とし、専任オペレータの力を借りないとできない。特に、新聞見出しには、新聞固有の文字倍数に関する約束ごとがあり、通常、この約束ごとに従い、見出しサイズ（段数）と見出しの種別（頭、主、脇）から文字倍数を設定しなければならない。
【０００４】
更に、緊急記事が飛び込んできたような場合には、紙面の変更に伴ない作成済みの見出しサイズを変更しなければならない場合がある。このような場合、改めて見出し組の文字倍数の設定をオペレータの手で変更しなければならない繁雑さがあった。更に、整理記者の行うべき仕事は多岐に亘っており、見出し組に割く時間には制限がある。
【０００５】
本発明は、このような従来の問題点に鑑みてなさたれもので、見出し組の文字倍数の設定および変更の操作を容易にして作業効率を高めた新聞制作システムの見出し組文字サイズ設定装置を提供することを目的とする。
【０００６】
【課題を解決するための手段】
図１は本発明の原理説明図である。ここで「機構」とは、１つの機能単位を表わしている。
本発明による新聞制作システムの見出し組文字サイズ設定装置は、まず見出しサイズと見出し種別に応じて基準文字に対する文字倍数を予め登録した基準テーブル２８をもっている。入力機構２０によって見出しサイズ（段数）と見出し種別（主、脇、頭、尻など）を入力すると、文字倍数設定機構２４が基準テーブル２８の参照により、文字倍数を初期値として文字倍数テーブル３０に登録する。
【０００７】
更に、文字倍数テーブル３０に対する登録後に、見出しサイズを変更した場合、文字倍数変更機構３２が、見出しサイズの変更比率に応じて文字倍数テーブル３０に登録している文字倍数を変更する。
【０００８】
【作用】
このような本発明の見出し組文字サイズ変更装置によれば次の作用が得られる。
まず各新聞社では、縦組サイズと主・協・頭などの見出し種別より、標準的な見出し種別ごとの文字倍数が決まっている。そこで、この文字倍数に関する情報を、組版端末装置のメモリ上に基準テーブルとして予め登録しておき、縦組サイズと見出し種別を指定することで、見出し種別ごとの文字倍数を初期値として設定する。
【０００９】
このため標準的な文字数では、この初期値を変更することはないので、作成者は文字倍数を意識することなく素早く容易に見出し組を作成することができる。また見出し組の作成中または作成後のオペレータ指示による見出し組のサイズの変更に伴い、その拡縮にほぼ比例（テーブルに有する倍数毎）する形で文字サイズの自動変更を行う。
【００１０】
この結果、見出し作成中の組サイズの変更において、それまで作成していた見出し組を生かしての作成が可能となる。また、大組作成中、レイアウトなどの都合により、急な見出しサイズ変更が必要な場合が多々あるが、このような場合に素早く容易に対応することが可能となる。
【００１１】
【実施例】
図２は、本発明が適用される新聞制作システムの概略である。新聞制作システムは、ホストシステム１２に対し１または複数の組版端末装置１０を接続している。組版端末装置１０としては、通常、ワークステーションが使用される。ホストシステム１２には組版処理部１４が設けられる。組版処理部１４に対しては、組版ファイル１６と見出しパターンファイル１８が設けられる。
【００１２】
新聞の見出しを作成する見出し組の作成は、組版端末装置１０を使用して行われる。この見出し組の作成のため、予め標準的な見出し組の体裁をもった複数の見出しパターンをホストシステム１２の見出しパターンファイル１８に登録している。
組版端末装置１０を使用して見出し組を作成する場合、見出しパターンファイル１８の中から適当なパターンを指示し、見出し文字を入力することにより、見出し組を自動的に作成することができる。作成された見出し組は、組版ファイル１６に格納される。
【００１３】
本発明にあっては、この見出し組の作成における組版端末装置１０での見出し組の文字サイズの設定を、オペレータが見出しサイズと見出し種別の２つを投入するだけで自動的に見出し種別ごとの文字倍数を設定することができる。更に、見出し組の作成中あるいは作成後の見出しサイズの変更に対し、自動的に、既に登録済みの文字倍数を変更することができる。
【００１４】
図３は、見出し組作業の対象となる標準的な縦見出しを示す。標準縦見出しの縦の大きさは段数で示される。また、横の大きさは行取り数で示される。標準縦見出し内には右側より、柱見出し、肩見出し、主見出し、中見出し、脇見出しの５種類の見出し種別をもつ。また上側に頭かぶせ見出しがあり、下側には尻かぶせせ見出しがある。この見出しサイズと見出し種別に対する基本文字に対する文字倍率は、新聞社ごとに予め約束を決めている。
【００１５】
図４は、標準横見出しである。標準横見出しは、必要に応じて１または複数の主見出しが上下に並ぶ。また、左側が頭かぶせ見出しとなり、右側が尻かぶせ見出しとなる。記事の場合、通常、横見出しは縦の大きさが１段である。したがって、見出し種別によって一義的に文字サイズが決まることになる。
図５は、図２の組版端末装置１０の機能として実現される本発明の見出し組文字サイズ設定装置の実施例である。
【００１６】
本発明の見出し組文字サイズ設定装置は、入力機構２０、見出し組解析機構２２、文字倍数設定機構２４、メモリ２６に展開された基準テーブル２８と文字倍数テーブル３０、および文字倍数変更機構３２で構成される。
入力機構２０は、端末装置の作業画面を使用してオペレータが文字倍数の初期設定の際には縦組サイズ（段数）と見出し種別を入力する。例えば、図３の縦見出しを例にとると、縦組サイズとして縦の大きさを示す段数を入力し、見出し種別としては、縦見出しに使用している頭かぶせ見出し（頭見出し）、主見出しおよび脇見出しの各種別を見出し文と共に入力する。
【００１７】
見出し組解析機構２２は、入力機構２０より縦組サイズおよび見出し種別と共に入力された見出し文を解析し、各見出し種別ごとの文字数を求め、縦組サイズおよび見出し種別と共に文字倍数設定機構２４に出力する。文字倍数設定機構２４は、メモリ２６の基準テーブル２８を参照し、各見出し種別ごとに文字倍数を決定し、文字倍数テーブル３０に登録する。図６の基準テーブルの一例を示す。
【００１８】
例えば、縦組サイズが５段で見出し種別が頭見出し、主見出しおよび脇見出しであった場合には、図６の基準テーブルを参照して、図７（Ａ）に示すように、文字倍数テーブル３０に各見出し種別ごとに文字倍数をセットする。
見出し組の作成中あるいは見出し組の作成作業終了後に入力機構２０より見出し組のサイズ変更入力があった場合、文字倍数変更機構３２は文字倍数テーブル３０の対象となる見出し組を参照し、自動的に文字倍数の変更を行う。文字倍数変更機構３２による文字倍数の変更は、サイズ変更として指示された縦組サイズの段数の縮小または倍率の比率に応じて文字倍数を変更する。
【００１９】
例えば、図７（Ａ）に示す縦段数５段の登録に対し、サイズ変更の指示により縦段数４段への変更が指示された場合、縦段数の変更比率は０．８となる。そこで、図７（Ａ）の頭見出し２．５倍は２倍となり、主見出し８倍は６．４倍となり、更に脇見出し５倍は４倍となる。ここで、頭見出しの変更後の２倍、脇見出しの変更後の４倍については、図６の基準テーブルの縦段数４段の場合の各見出しの文字倍数に適合していることから、そのまま図７（Ｂ）に示すように変更する。
【００２０】
一方、主見出しは変更後、６．４倍となるが、これは図６の文字倍数基準テーブル２８の４段にはない。この場合には、基準テーブル２８の文字倍数６．５倍を図７（Ｂ）に示すように登録する。即ち、縦組サイズの変更比率に基づく変更後の文字倍数としては、基準テーブル２８の中の近いものを使用することになる。
【００２１】
図８のフローチャートは、本発明の文字サイズ設定処理である。オペレータによる見出し組に関する入力に対し、まずステップＳ１で、文字サイズの初期設定処理か否かチェックする。初期設定処理であれば、ステップＳ２に進み、縦組サイズと見出し種別を読み取り、基準テーブル２８を参照して、ステップＳ４で、見出し種別ごとに文字倍数の初期値を文字倍数テーブル３０に設定する。
【００２２】
一方、ステップＳ１で初期設定処理でなかった場合には、見出し組サイズの変更処理であることからステップＳ５に進み、変更組サイズとしての縦組サイズを読み取り、ステップＳ６で、サイズ変更の縮尺に応じた基準テーブル２８の文字倍数に変更する。
なお、図６の基準テーブル２８の内容は一例を示したものであり、必要に応じて適宜の文字倍数の標準的な倍数設定が使用できる。
【００２３】
【発明の効果】
以上説明してきたように本発明によれば、見出し組の縦組サイズと、主、脇、頭などの見出し種別を入力するだけで、自動的に見出し種別ごとの文字倍数が設定でき、標準的な見出し組の文字数では自動登録された文字倍数の初期値を通常変更することはないので、作成者は文字倍数を意識することなく見出し組の作成を素早く且つ容易に行うことができる。
【００２４】
また、見出し組の作成中あるいは作成後において、見出し組の縦組サイズの変更を必要とした場合には既に作成した見出し組の文字倍数を縦組サイズの変更に応じて自動的に変えることから、大組作成中にレイアウトなどの都合により急な見出しサイズの変更が多々起きるが、これに素早く且つ容易に対応することができる。その結果、見出し組の作成に関する整理記者の端末オペレーションの回数が低減し、時間的な余裕ができることで、見出し文の作成など他の必要な作業に十分な時間をとることができる。
【図面の簡単な説明】
【図１】本発明の原理説明図
【図２】新聞制作システムの概略図
【図３】標準縦見出しの説明図
【図４】標準横見出しの説明図
【図５】本発明の実施例を示した機能ブロック図
【図６】本発明の基準テーブルの一例の説明図
【図７】本発明による文字倍数の変更の説明図
【図８】本発明の文字サイズ設定処理のフローチャート
【符号の説明】
１０：組版端末装置（ワークステーション）
１２：ホストシステム
１４：組版処理部
１６：組版ファイル
１８：見出しパターンファイル
２０：入力機構
２２：見出し組解析機構
２４：文字倍数設定機構
２６：メモリ
２８：基準テーブル
３０：文字倍数テーブル
３２：文字倍数変更機構
【図１】
0004026862.tif 000002
【図２】
0004026862.tif 000003
【図３】
0004026862.tif 000004
【図４】
0004026862.tif 000005
【図５】
0004026862.tif 000006
【図６】
0004026862.tif 000007
【図７】
0004026862.tif 000008
【図８】
0004026862.tif 000009